(57)【特許請求の範囲】
【請求項１】
アドレッシング規模で第１の方向であるアドレッシングベクトル場の影響下において、入力電磁エネルギーへの第１の応答を示すように構成されたアドレス可能ディスプレイ媒体と、
前記アドレッシング規模で前記第１の方向にあるアドレッシングベクトル場を前記ディスプレイ媒体の一部分に提供するように構成されたアドレッサと、
第１の規模で前記第１の方向にある第１のベクトル場を示すように構成された第１のシート電極および第２のシート電極を含むフリンジフィールドフィルタと、
接地シートと、を備え、
前記第１の規模は前記アドレッシング規模より小さく、
前記ディスプレイ媒体は、前記第１のシート電極と前記第２のシート電極の間に位置し、
前記第１のシート電極は、前記アドレッサと前記ディスプレイ媒体の間に位置し、
前記接地シートと前記アドレッサとは、前記アドレッシング規模で前記第１の方向である前記アドレッシングベクトル場を、前記ディスプレイ媒体の前記一部分に供給するように構成され、
前記第２のシート電極が前記接地シートと前記ディスプレイ媒体の間に位置することを特徴とするディスプレイキット。
【請求項２】
基板内に配置され、かつ作動化流体に接触する複数の回転要素と、
複数の回転要素の間に第１のベクトル場を示すように構成された第１のシート電極および第２のシート電極と、固定ベクトル場電位を示すように構成された接地シートと、
を備えた回転要素シート材であって、
前記第１のベクトル場は、第１の方向を向き、
前記基板は前記第１のシート電極と前記第２のシート電極の間に配置され、
前記第２のシート電極は、前記接地シートと前記基板の間に配置され、
前記複数の回転要素の少なくとも１つは入力電磁エネルギーへの第１の応答を第１の向きに、入力電磁エネルギーへの第２の応答を第２の向きに示すように構成され、
前記作動化流体に接触する回転要素は、さらに、外部ベクトル場に応答するよう構成されたアドレッシング双極子を示すように構成され、
前記アドレッシング双極子は、前記回転要素が、前記第１の方向の前記外部ベクトル場の影響下で前記第１の応答を示すように構成され、
前記第１のシート電極は、前記基板と前記外部ベクトル場のソースとの間に配されるように構成され、
前記第１シート電極は、前記基板と前記外部ベクトル場の供給源との間に配置されるように構成され、
前記回転要素、前記作動化流体および前記基板は、前記回転要素を、静止の向きおよび位置から、回転および移動させるのに必要なエネルギーに等しい仕事関数を示すように構成され、
前記第１のベクトル場と前記アドレッシング双極子の間のエネルギー結合力は、前記仕事関数より小さく、０より大きく、
前記外部ベクトル場と前記アドレッシング双極子とのエネルギー結合力は、前記仕事関数以上である、
ことを特徴とする回転要素シート材。
【請求項３】
ディスプレイ媒体をアドレッシングするための方法であって、
アドレッシング規模で第１の方向にあるアドレッシングベクトル場の影響下において、入力電磁エネルギーへの第１の応答を示すように構成されたアドレス可能ディスプレイ媒体を用いるステップと、
前記ディスプレイ媒体が配された実質的に幅ｗの領域に、前記アドレッシング規模で前記第１の方向の前記アドレッシングベクトル場を供給するように構成されたアドレッサを用いるステップと、
第１の規模で前記第１の方向の第１のベクトル場を示すように構成された、第１のシート電極および第２のシート電極を用いるステップと、
ここで、前記第１のシート電極は、Ｒオーム／平方に等しい抵抗を有し、
前記第１の規模は、前記アドレッシング規模より小さく、
前記ディスプレイ媒体は、前記第１のシート電極と前記第２のシート電極との間に配置されており、かつ、前記ディスプレイ媒体は、静止の向きおよび位置から、回転および移動させるのに必要なエネルギーに等しい仕事関数を示すように構成され、
前記第１のベクトル場と前記ディスプレイ媒体の間のエネルギー結合力は、前記仕事関数より小さく、０より大きく、
前記第１のシート電極、前記第２のシート電極、および前記ディスプレイ媒体は、単位面積当たりＣに等しいキャパシタンスを有し、
前記第１のシート電極は、前記アドレッサと前記ディスプレイ媒体の間に位置し、
前記実質的に幅ｗの領域に、実質的に１／（ｗＲＣ）の移動速度で、前記アドレッシングベクトル場を供給するステップと、
接地シートを用いるステップと、を備え、
前記接地シートは、前記ディスプレイ媒体が配された実質的に幅ｗの領域に、前記アドレッシング規模で前記第１の方向の前記アドレッシングベクトル場を供給するアドレッサにより構成され、
前記第２のシート電極が前記接地シートと前記ディスプレイ媒体の間に設けられる、
ことを特徴とする方法。
【請求項４】
回転要素シート材をアドレッシングするための方法であって、
前記回転要素シート材を用いるステップと、
前記回転要素シート材の実質的に幅ｗの領域に、アドレッシング規模で第１の方向のアドレッシングベクトル場を供給するように構成されたスタイラスを用いるステップと、
間に、第１のベクトル場を示すように構成された第１のシート電極および第２のシート電極を用いるステップと、
ここで、前記回転要素シート材は、基板内に配置された複数の回転要素であって、作動化流体に接触する複数の回転要素を備え、
前記基板は、前記第１のシート電極と前記第２のシート電極の間に位置し、
前記第１のシート電極は、前記スタイラスと前記基板の間に位置し、
前記作動化流体に接触する前記複数の回転要素の少なくとも１つは、さらに、前記アドレッシングベクトル場に応答するよう構成されたアドレッシング双極子を示すように構成され、
該アドレッシング双極子は、前記回転要素が、前記アドレッシング規模で前記第１の方向の前記アドレッシングベクトル場の影響下において、入力電磁エネルギーへの第１の応答を示すように構成され、
前記回転要素、前記作動化流体および前記基板は、前記回転要素を、静止の向きおよび位置から、回転および移動させるのに必要なエネルギーに等しい仕事関数を示すように構成され、
前記第１のベクトル場と前記アドレッシング双極子の間のエネルギー結合力は、前記仕事関数より小さく、０より大きく、
前記第１のシート電極は、Ｒオーム／平方に等しい抵抗を有し、
前記第１のシート電極、前記第２のシート電極、および前記回転要素は、単位面積当たりＣに等しいキャパシタンスを有し、
前記アドレッシングベクトル場が、前記回転要素に結合するように、実質的に１／（ｗＲＣ）に等しい速度で前記スタイラスを移動させるステップと、
接地シートを用いるステップと、を含み、
前記接地シートは、前記スタイラスと共に、前記回転要素シート材が配された実質的に幅ｗの領域に、前記アドレッシング規模で前記第１の方向の前記アドレッシングベクトル場を供給するよう構成され、
前記第２のシート電極は、前記接地シートと前記基板の間に位置することを特徴とする方法。
【発明の詳細な説明】
【０００１】
【発明の属する技術分野】
本発明は、アドレッシング（addressing）ベクトル場のフリンジング効果を減じるアドレス可能(addressable)ディスプレイのためのシステムに関する。より具体的には、本発明は、飽和アスペクトを生成するために、スタイラスでアドレッシングする、回転要素シート材に組み込まれたシート電極の使用に関する。
【０００２】
【従来の技術及び発明が解決しようとする課題】
回転要素シート材は、ともに本願に引用して援用する米国特許第４、１２６、８５４号および第４、１４３、１０３号に開示されており、一般には基板、作動化流体、および一群の回転要素（ローテータブルエレメント：rotatable element）を備える。以下により詳細に説明するが、回転要素シート材は、「再使用可能な電気ペーパ」としての使途を見出している。図１は、回転要素１０、作動化流体（イネーブリングフィールド：enabling fluid）２０、キャビティ（キャビティ：cavity）３０および基板４０を含む回転要素シート材５０の拡大された断面を示す図である。観察者６０も示されている。図１には球状に形成された回転要素およびキャビティが示されているが、他の多くの形状が有効であり、本発明に適合する。本願に引用して援用する米国特許第５、３８９、９４５号に開示されているように、基板４０の厚さは、数百マイクロメートル程度とすることができ、回転要素１０およびキャビティ３０の寸法は、１０から１００マイクロメートル程度とすることができる。
【０００３】
図１において、基板４０はシリコンゴムの如きエラストマー材で、基板４０に設けられた１つまたは複数のキャビティの内部に作動化流体２０および回転要素群を収容している。その１つまたは複数のキャビティは、回転要素１０が作動化流体２０に接触し、回転要素１０の少なくとも１つの並進自由度が制限されるように、作動化流体２０および回転要素群を収容している。作動化流体２０と回転要素１０の接触により回転要素１０の対称性が切断され、回転要素１０のアドレッシングが可能になる。回転要素１０の対称性切断（ブロークンシンメトリ：broken symmetry）の状態、あるいはアドレッシング極性は、回転軸を中心とした電気双極子の確立となりうる。例えば、誘電性液体中の微粒子は表面塗膜のゼータ電位に関連する電荷を受けることがよく知られている。したがって、回転軸を中心とした回転要素の反対側に積層する塗膜を好適に選択することによって、誘電性液体中の回転要素上に電気双極子を確立させることが可能である。
【０００４】
回転要素シート材を「再使用可能な電気ペーパ」として使用するのは、回転要素は、上述したアドレッシング極性に関連づけられる第２の対称性切断、すなわち多値アスペクトが与えられるという事実によるものである。すなわち、例えば図２に示されているように、区別可能な方法で入射電磁気エネルギーに応答するように、上述の塗膜を選択することができる。したがって、加ベクトル場は、好適に位置する観察者６０に対する回転要素１０のアスペクトを制御することが可能である。
【０００５】
例えば、本願に引用して援用する米国特許第４、１２６、８５４号に開示されているように、回転要素１０は、その半球に酸化チタンをスパッタリングし、その酸化チタンが一方向で明色アスペクトを提供する概ね球体の黒色ポリエチレンを含むことができる。透明の誘電性液体中の当該回転要素は、所望のアドレッシング極性、ならびに所望のアスペクトを示すことになる。
【０００６】
ＩＩ．Ａ  ２値アスペクトによる回転要素
最も単純な形の多値アスペクトは２値アスペクトである。該アスペクトが可視光に対する色彩応答であるときは、２値アスペクトによる回転要素は、二色の回転要素と称することができる。当該回転要素は、本願に引用して援用する米国特許第５、２６２、０９８号および第６、１４７、７９１号に記載されている材料の二層体により作製することができる。
【０００７】
図３から図５は、先行技術による当該回転要素を用いた２値アスペクトおよび典型的なシステムによる回転要素１０を示す図である。図３において、回転要素１０は、第１の層７０および第２の層８０から構成され、ここでも例示により、全体的に球状の物体としている。第１の層７０の表面には第１のゼータ電位の第１の塗膜７５が設けられ、第２の層８０の表面には第２のゼータ電位の第２の塗膜が設けられている。第１の塗膜７５および第２の塗膜８５は、誘電性流体（図示せず）と接触したときに、第１の塗膜７５が第２の塗膜８５に対して正味負の電荷を有するように選択される。これは、図３において、それぞれ「−」および「＋」の符号で表される。さらに、第１の塗膜７５と第１の層７０の表面との組み合わせは白色で、第２の塗膜８５と第２の層８０の表面との組み合わせは非白色になっており、図３では陰影線で示されている。第１の層７０および第１の塗膜７５に関連する材料は同一でありうることを当業者なら理解するはずである。同様に、第２の層８０および第２の塗膜８５に関連する材料も同一でありうる。
【０００８】
図４は、無場集合体（no-field set）１１０を示す図である。無場集合体１１０は、ベクトル場１００が零の絶対値を有するときのベクトル場１００の付近における任意に配向された回転要素の部分集合体である。ベクトル場１００は電場である。よって、無場集合体１１０は、各々に対して任意の方向を有する回転要素である。したがって、無場集合体１１０の場合は、観察者６０は、無秩序に配列された（図３に示されるような）第２の塗膜８５と第２の層８０の表面との組み合わせ、および第１の塗膜７５と第１の層７０の表面との組み合わせの概観図を登録する。インフラ層５５は、得られるビューの背景を形成する。インフラ層５５は、あらゆる種類の材料から構成することができ、それには他の回転要素、または観察者６０に対して特定のアスペクトを示す材料が含まれるが、それらに限られるものではない。
【０００９】
図５および図６は、第１のアスペクト集合体１２０を示す図である。第１のアスペクト集合体１２０は、ベクトル場１００の絶対値が零でないときのベクトル場１００付近における回転要素の部分集合体で、矢印１０５によって示される向きを有する。第１のアスペクト集合体１２０において、すべての回転要素は、各回転要素１０上に存在する静電気双極子により、矢印１０５に対して配向している。無場集合体１１０とは対照的に、第１のアスペクト集合体１２０の場合は、観察者６０は、非白色の側を上にして（図３に示されているように第２の塗膜８５と第２の層８０の表面との組み合わせを上にして）順序づけられた回転要素の集合体の概観図を登録する。ここでもインフラ層５５は、得られる概観図の背景を形成する。図５および図６において、回転要素１０は加ベクトル場１００の影響の下で、第１の塗膜７５および第２の塗膜８５によって生じる電荷のため、ベクトル場１００に対して配向する。図５は、観察者６０、第１のアスペクト集合体１２０およびインフラ層５５の相対的な位置を示す側面図である。図６は、上面の視点から見た第１のアスペクト集合体１２０の代替図である。図６において、符号
【数１】
0004398623.tif 000002
は同図の平面から外へ向う矢印を示す。
【００１０】
第１のアスペクト集合体１２０は、一部には、回転要素１０と例えばキャビティの壁（図示せず）のような基板構造との間の引力に関連するエネルギーにより、ベクトル場１００が取り除かれた後でもそのアスペクトを維持することを当業者なら理解するはずである。このエネルギーは、一部には、参照により上文に取り入れられ、以下により詳しく説明する米国特許第４、１２６、８５４号に開示されているように、切換え特性、および回転要素シート材５０の記憶容量に寄与する。
【００１１】
さらに、図４から図６において説明した無場集合体および第１のアスペクト集合体は画素の要素を形成することができ、例えば、本願に引用して援用する米国特許第５、７１７、５１５号に記載されているように、アドレッシングスキームを用いて画素毎にベクトル場１００を処理することが可能であることを当業者なら理解するはずである。
【００１２】
例えば、１９７８年１１月２１日に公布された「Ｔｗｉｓｔｉｎｇ Ｂａｌｌ Ｐａｎｅｌ Ｄｉｓｐｌａｙ」という名称の米国特許第４、１２６、８５４号、および１９７９年３月６日に公布された「Ｍｅｔｈｏｄ Ｏｆ Ｍａｋｉｎｇ Ａ Ｔｗｉｓｔｉｎｇ Ｂａｌｌ Ｄｉｓｐｌａｙ」という名称の米国特許第４、１４３、１０３号（いずれもシェリドンによる）には、流体が充填されたキャビティに含まれ、エラストマー媒体に埋め込まれた二色回転要素を備えた回転要素シート材が記載されている。二色回転要素の１つのセグメントは、流体に接触し、電場が存在する場合の電荷が他のセグメントよりも大きくなる。したがって、加電場の特定の極性については、１つのセグメントがディスプレイ観察者のほうへ回転し、その観察者に見えるようになる。電場の反対の極性を加えると、回転要素が回転し、他のセグメントが観察者に見えるようになる。
【００１３】
米国特許第４、１４３、１０３号には、閾値応答として、加電場に対する二色回転要素の応答が記載されている。すなわち、外部場が増加するのに伴い、二色回転要素は閾値電圧に達するまで静止状態を維持し、閾値電圧に達すると、初期の位置から回転を開始する。その回転量は、１８０度の回転が達成されるまでは電場が増加するに従って増加することになる。１８０度の回転を生じる外部場の値は、フルアドレッシング電圧と呼ばれる。
【００１４】
二色回転要素の外部電場に対する応答パターンは、回転要素シート材上に画像を作成するのに利用できるアドレッシングの種類を決定づける。当該技術分野では、３種類の表示用アドレッシングスキームが知られている。これらのうちの第１のアドレッシングスキームはアクティブマトリックスアドレッシング（active matrix addressing）で、ディスプレイの特性に対する制約が最も少ない。
【００１５】
アクティブマトリックスアドレッシングでは、表示の画素毎に個別のアドレッシング電極が提供され、これら電極の各々にはアドレッシング電圧が連続的に供給される。アドレッシングフレーム（addressing frame）毎に電圧の完全セットを変更することができる。この種類のアドレッシングは、表示媒体の特性に対する制約が最も少ないが、アクティブマトリックスアドレッシングは最も高価で、最も複雑で、最もエネルギー効率の低いタイプのアドレッシングである。
【００１６】
第２の種類のアドレッシングスキームは、パッシブマトリックスアドレッシング（passive matrix addressing）である。パッシブマトリックスアドレッシングは２セットの電極を、表示媒体の各々の側に１セットずつ使用する。典型的には、これらのうちの１つは水平導線から構成され、もう一方は垂直導線から構成されている。ディスプレイの前面またはウィンドウ上の導線は必然的にアスペクト透明（アスペクトトランスペアレント：aspect transparent）である。表示媒体をアドレッシングするために、水平導線に電圧をかけるとともに、垂直導線に電圧をかける。これらの２つの導線の共通部分に位置する媒体のセグメントは、これら２つの電圧の和に等しい電圧を受ける。通常はそうであるように、それらの電圧が等しい場合は、各々の導線に隣接し、それらの導線の共通部分に位置しない媒体の領域は、導線の共通部分に位置する媒体領域が受ける電圧の二分の一の電圧を受ける。パッシブアドレッシングは、表示媒体の画素はそれらの光学的状態を変化させるのに必要な分だけアドレッシングされるため、さほど複雑でなく、比較的エネルギー効率が高い。しかし、パッシブマトリックス表示によってアドレッシングが可能な媒体に対する要件は、アクティブマトリックスの場合よりもはるかに厳しい。その媒体は、全アドレッシング電圧に対して完全に応答しなければならないが、全アドレッシング電圧の二分の一に応答してはならない。これは、閾値応答挙動と呼ばれる。その媒体は、連続的に電圧を加えることなく、アドレッシング電極によって切り換えられたいかなる光学的状態をも維持しなければならない。すなわち、電力を用いずに画像を記憶する必要がある。パッシブアドレッシングは、最も広く使用されるディスプレイのアドレッシング方法で、最も低コストである。
【００１７】
第３の種類のアドレッシングは、シート材の表面を移動することが可能な棒の形のアドレッシング電極の直線形アレイから構成される。このような形式のアドレッシングでは、シート材を接地電極の上に配置するか、またはそれに接地電極を導入し、棒と回転要素シート材との間に薄いウィンドウを配置することによって棒の移動による機械的損傷からシート材を保護する。棒はシート材の上を移動しながら、短時間の間にシート材の特定の画素に電圧を加え、棒が表面で走査される毎にフル画像を生成する。この方法の１つの変形形態において、アドレッシング棒はウィンドウの表面にイメージワイズの電荷（イメージワイズチャージ：image-wise charge）を滞積させる。
【００１８】
そこで、この形式のアドレッシングによるシート材に対する要件は、どの種類のアドレッシング棒が使用されるかに応じて決まる。アドレッシング棒が表面を移動しながらシート材に電圧を加えるだけであれば、回転シート材は閾値挙動を示す必要がある。したがって、アドレッシング棒電極の真下のシート材の領域は、全アドレッシング電圧が加えられるときに、アスペクトに電荷を受けなければならないが、棒が画素の次の画素列に移動するときは、シート材のその同じ領域は、移動するアドレッシング棒によりシート材が受ける減衰電圧に応答してはならない。パッシブアドレッシングと同様に、これには、シート材がシャープな閾値応答を有する必要がある。このアドレッシング棒は、また、アドレッシング棒電極がその近傍を移動する間にアスペクトが完全に変化することを必要とし、それによって通常は表示フレームアドレッシング速度が制限される。「Ｃｈａｒｇｅ Ｒｅｔｅｎｔｉｏｎ Ｉｓｌａｎｄ Ｆｏｒ Ｅｌｅｃｔｒｉｃ Ｐａｐｅｒ Ａｎｄ Ａｐｐｌｉｃａｔｉｏｎｓ Ｔｈｅｒｅｏｆ」という名称で、本出願と同じ譲受人が譲受した、ホワード等による米国特許第６、２２２、５１３号には、この効果により媒体の切換え速度の要件を著しく緩和するアドレッシング電極の構成が記載されている。
【００１９】
米国特許第６、２２２、５１３号において、アドレッシング棒は、シート材の表面またはその近傍にイメージワイズの電荷を滞積する。その電荷滞積アドレッシング法により、シート材に対する要件が緩和される。シート材は、それ独自の速度で滞積電荷に関連する電圧に応答しうるため、表面上でのアドレッシング棒の速度は、それがイメージワイズの電荷を滞積しうる速度によってのみ制限される。閾値応答挙動はさほど重要ではないが、シート材上に滞積されたイメージワイズの電荷が短時間のうちに漏出することが予測されるため、画像を格納する能力は重要である。しかし、シート材上またはその近傍にイメージワイズの電荷を滞積させることのできるアドレッシング棒は大きくなりがちで、単に電圧をイメージワイズに直接印加する棒に比べて効果である。
【００２０】
ＩＩ．Ｂ．  アドレス可能ディスプレイに関連するフリンジフィールド
図７から図１０は、アドレス可能ディスプレイをアドレッシングするための先行技術の例示的なキットを示す図である。図７から図１０では、例示的なアドレス可能ディスプレイを回転要素シート材としているが、電気泳動に一般に依存するディスプレイなどいくつかのアドレス可能ディスプレイが開示されたものと同様の効果を示すことを当業者なら理解するはずである。図７は、例示的な接地シートとしてインフラ層２６０を示す図である。図７および図８では、インフラ層２６０は接地されたものとして示されているが、インフラ層２６０は単にスタイラス(stylus)２００と電位が異なっていれば十分であることを当業者なら理解するはずである。地面に接続された電圧源２４０に接続されたスタイラス２００を例示することによって、これを図７および図８に示す。スタイラス２００の遠端（distal  end)における材料を好適に選択すれば、図７および図８におけるスタイラス２００とインフラ層２６０の電位差により、スタイラス２００の遠端とインフラ層２６０との間の領域にベクトル場を生じることができる。これは、図７および図８において、スタイラス２００とインフラ層２６０の間のスペースにある点線によって示されている。図７および図８はスタイラス２００が矢印２５０の方向へ移動することも示す。よって、スタイラス２００とインフラ層２６０の間にベクトル場に関連するフリンジフィールドの２つの領域が存在することになる。これらは、先行フリンジフィールド２７５および後続フリンジフィールド２８５として示される。
【００２１】
先に述べたように、スタイラス２００の経路内の回転要素１０は、スタイラス２００とインフラ層２６０の間に導入されるベクトル場に応答して向きを変える傾向がある。これは、図７において、白色側が観察者６０に向かう向きにある、スタイラス２００の右側に位置する回転要素と、スタイラス２００の下に位置し、ベクトル場の影響を受けて非白色側がスタイラス２００に向かうように向きを変えた回転要素を示すことによって例示されている。
【００２２】
回転要素の向きおよび位置を固定された位置および向きから変化させるのに必要な仕事関数は、既に運動状態にある回転要素の向きおよび位置を変化させるのに必要な仕事関数より大きいことを当業者なら理解するはずである。そのような効果は、静止摩擦と動摩擦の間に差を生じるものとして、また回転要素の運動に応答する作動化流体（図示せず）の運動に判う流体力学の結果として従来理解されているようなプロセスを含めた様々な要因の結果である。同様に、電気泳動に依存する従来のディスプレイも同様の効果を示すことを当業者なら理解するはずである。よって、先行フリンジフィールド２７５に対する回転要素の応答は、後続フリンジフィールド２８５に対する回転要素の応答とは異なる。具体的には、図７および図８のスタイラス２００の真下に位置する回転要素は、非白色側が観察者６０のほうに向くように向きを変える傾向があるのに対して、当該運動は、回転要素が最終的に安定した位置および向きに落ち着くまで、より弱い磁場の影響下で回転要素をさらに自由に運動させる傾向を有することになる。よって、図８に示されるように、回転要素の非白色側は、後続フリンジフィールド２８５の影響下で継続的に向きを変える。観察者６０の視点から見ると、回転要素が生成するアスペクトは、白色アスペクトが約５０％を占め、非白色アスペクトが約５０％を占めることになる。上面の視点から捉えたこの様子を図９に示す。
【００２３】
よって、巨視的な視点から見ると、飽和アスペクトを有するラインを生成するのではなく、回転要素シート材５０をアドレッシングするのに使用するスタイラス２００は不飽和ライン２９０を生成する。そのような巨視的な視点を図１０に示す。本明細書に開示されている効果は、回転要素シート材をアドレッシングするときの飽和アスペクトに関連するが、一般に電気泳動効果に依存するディスプレイもフリンジフィールドの結果として望ましくないアスペクトを示しうる。
【００２４】
ＩＩ．Ｃ．仕事関数
上述したように、回転要素シート材の有益な特性は、アドレッシングのための加ベクトル場１００が取り除かれた後でも特定のアスペクトを保持する機能である。この機能は、一部には、本願に引用して援用する米国特許第４、１２６、８５４号に開示されているように、切換え機能、および回転要素シート材５０の記憶容量に寄与する。これをアスペクト安定性と呼ぶ。上述の実施形態におけるアスペクト安定性のためのメカニズムは、一般には、回転要素と格納構造体の間の引力に関連するエネルギー、または「仕事関数」である。回転要素に接触する作動化流体の表面張力、作動化流体に対する回転要素の比重、格納構造体に接触する回転要素上の電荷の大きさ、作動化流体および格納構造体の相対電子誘導率、格納構造体の「粘着性」、ならびに存在しうる他の残留場などを含む（ただし、それらに限定されない）多くの要因が、仕事関数に関連するエネルギーの規模に影響を及ぼす。アドレッシングのための加ベクトル場は、向き変化を生じるためには仕事関数に打ち勝つほど強力でなければならず、さらに仕事関数は、アドレッシングのための加ベクトル場が存在しない状態でこのアスペクトを保持するほど強力でなければならない。
【００２５】
図１１は、先行技術についての、向きを変える回転要素の数１８０、Ｎを加ベクトル場１０２、Ｖの関数として示した例示的な図である。仕事関数１８４、ＶWは、向きを変える回転要素の数１８０が、すべての回転要素１０の向き変化に対応する飽和レベル１８６、ＮSに達したときの加ベクトル場１０２の値に対応する。
【００２６】
ＩＩ．Ｄ．磁気ラッチングによる回転要素
スタイラスによってアドレッシングされたときに飽和アスペクトを生成する回転要素シート材を作製する１つの方法が、本願に引用して援用する米国特許第６、１４７、７９１号「Ｇｙｒｉｃｏｎ ｄｉｓｐｌａｙｓ ｕｔｉｌｉｚｉｎｇ ｒｏｔａｔｉｎｇ ｅｌｅｍｅｎｔｓ ａｎｄ ｍａｇｎｅｔｉｃ ｌａｔｃｈｉｎｇ」に開示されている。米国特許第６、１４７、７９１号に開示された発明に適合する回転要素を図１２に示す。図１２の回転要素は多面回転要素で、一般には本願に引用して援用する米国特許第５、８９４、３６７号に開示されている方法で作製することができる。図１２の回転要素１０は、アスペクト透明の覆い１３７の内部のコア１４０から構成される。図１２のコア１４０はプリズム状で、四角柱として描かれている。本明細書で用いられる「プリズム状」という言葉は、末端の寸法および形状が実質的に同じであるとともに実質的に平行であり、残りの側は各々実質的に平行四辺形である多面体を意味する。コア１４０を通して回転軸を中心とした回転要素１０の向きに応じて、回転要素１０は、好適に位置する観察者に対して、第１のアスペクト面１４２、第２のアスペクト面１４４、第３のアスペクト面または第４のアスペクト面を示すことになる。図１２では、回転要素１０の半球の図によって第１のアスペクト面１４２および第２のアスペクト面１４４が示される。先に述べたように、回転要素１０をアドレッシングするために、回転要素１０が誘電性液体（図示せず）に接触したときに、第１の塗膜１３０が第２の塗膜１３５に対して正味の負電荷「−」を有するように、第１のアスペクト面１４２の上に位置するアスペクト透明の覆い１３７の面は第１のゼータ電位の第１の塗膜を有し、第３のアスペクト面の上に位置するアスペクト透明の覆い１３７の面は第２のゼータ電位の第２の塗膜１３５を有する。
【００２７】
しかし、飽和アスペクトを生成するために、図１２および図１３の回転要素は、好ましくはアスペクト面の間の頂端に位置する回転ラッチング構成要素１７０をも備える。図１２および図１３は、４つのアスペクトおよび４つのラッチング構成要素１７０を有する回転要素を示す図である。好ましくは、ラッチング構成要素１７０は、回転要素１０の軸全体に沿うように伸びている。本願に引用して援用する米国特許第６、１４７、７９１号に記載されているように、回転要素内に含まれる回転ラッチング構成要素１７０は、硬質磁性体から構成される。「硬質」磁性体とは、強磁性体の如き、外部場が存在しない状態で残留磁性を示す物質である。飽和アスペクトを促進させ、かつ図１２の回転要素を組み込んだ回転要素シート材を図１３に示す。図１３は、図１２の回転要素１０を含む回転要素シート材５０を示す図で、シートラッチング構成要素１７２を包括する。シートラッチング構成要素１７２は、軟質磁性体、または常磁性体もしくは超常磁性体の如き、外部場が存在しない状態ではさほど強い磁性を示さない物質から構成される。図１３に示されているように、要素ラッチング構成要素１７０とシートラッチング構成要素１７２の間に存在する磁場は、要素ラッチング構成要素１７０とシートラッチング構成要素１７２の間の距離を最小にする向き以外の任意の向きについて回転要素の回転軸を中心としたトルクを生じる。
【００２８】
要素ラッチング構成要素１７０およびシートラッチング構成要素１７２は、回転要素１０と、例えばキャビティ壁（図示せず）のような基板構造との間の引力に関連し、アスペクト安定性に寄与する「仕事関数」エネルギーに寄与することを当業者なら理解するはずである。ここでも、本願に引用して援用する米国特許第４、１２６、８５４号に開示されているように、このエネルギーは、一部には、切換え特性、および回転要素シート材５０の記憶能力に寄与することになる。当該システムは、観察者６０に示される飽和アスペクトを生成するのに役立つことになるが、精細な製造手順を必要とする。
【００２９】
よって、飽和アスペクトを示すものの、回転ラッチング構成要素およびシートラッチング構成要素の導入といったような精細な製造手順を必要としない回転要素シート材を作製することが望まれる。さらに、アドレス可能ディスプレイにおけるフリンジフィールドの効果を減じることが一般的には望ましい。
【００３０】
【課題を解決するための手段】
第１の実施形態では、本発明のディスプレイキットは、第１のアドレッシング規模（アドレッシングマグニチュード：addressing magnitude）において第１の方向にあるアドレッシングベクトル場の影響下において、入力電磁エネルギーへの第１の応答を示すように構成されたアドレッシングディスプレイ媒体と、該アドレッシング規模で該第１の方向にあるアドレッシングベクトル場を該ディスプレイ媒体の一部分に提供するように構成されたアドレッサと、第１の規模で該第１の方向にある第１のベクトル場をディスプレイ媒体の該一部分に対して示すように構成された第１のシート電極および第２のシート電極を含むフィルタとを備え、該第１の規模は該アドレッシング規模より小さく、該ディスプレイ媒体は、該第１のシート電極と該第２のシート電極の間に配置され、該第１のシート電極は該アドレッサと該ディスプレイ媒体の間に位置する。
【００３１】
ディスプレイ媒体をアドレッシングするための方法の第１の実施形態にでは、該方法が、第１のシート電極の抵抗がＲオーム毎平方に等しく、第１のシート電極の単位面積当たりのキャパシタンスがＣに等しい上述のディスプレイキットを設けるステップであって、スタイラスの遠端が幅ｗを有するステップと、第１のシート電極がスタイラスと基板の間にくるように、実質的に１／（ｗＲＣ）に等しい速度でスタイラスを移動させるステップとを含む。
【００３２】
本発明のディスプレイキットは、アドレッシング規模で第１の方向にあるアドレッシングベクトル場の影響下にある第１のアスペクトを示すように構成されたアドレス可能ディスプレイ媒体と、アドレッシング規模で第１の方向にあるアドレッシングベクトル場をディスプレイ媒体の一部分に提供するように構成されたアドレッサと、第１の規模で第１の方向にある第１のベクトル場を示すように構成された第１のシート電極および第２のシート電極を含むフィルタと、を備え、第１の規模はアドレッシング規模より小さく、ディスプレイ媒体は、第１のシート電極と第２のシート電極の間に位置し、第１のシート電極は、アドレッサとディスプレイ媒体の間に位置することを特徴とする。
【００３３】
また、本発明のディスプレイキットは、更に、接地シートを含み、接地シートがアドレッシング規模で第１の方向にあるアドレッシングベクトル場をディスプレイ媒体の部分に提供するようアドレッサにより構成され、第２のシート電極が接地シートとディスプレイ媒体の間に位置することを特徴とする。
【００３４】
本発明の回転要素シート材は、基板内に配置され、かつ作動化流体に接触する複数の回転要素と、複数の回転要素の間に第１のベクトル場を示すように構成された第１のシート電極および第２のシート電極と、を備えた回転要素シート材であって、基板は第１のシート電極と第２のシート電極の間に配置され、複数の回転要素の少なくとも１つは入力電磁エネルギーへの第１の応答を第１の向きに、入力電磁エネルギーへの第２の応答を第２の向きに示すように構成され、作動化流体に接触する回転要素は、さらに、外部ベクトル場に応答するよう構成されたアドレッシング双極子を示すように構成され、アドレッシング双極子は、回転要素が、第１の方向にある外部ベクトル場の影響下にある第１のアスペクトを示すように構成され、回転要素、作動化流体および基板は、回転要素を静止の向きおよび位置から回転および移動させるのに必要なエネルギーに等しい仕事関数を示すように構成され、第１のベクトル場とアドレッシング双極子の間のエネルギー結合力は、仕事関数より小さく、０より大きいことを特徴とする。
【００３５】
また、本発明の回転要素シート材は、更に、固定ベクトル場電位を示すように構成された接地シートを備え、第２のシート電極は、接地シートと基板の間に位置することを特徴とする。
【００３６】
本発明のディスプレイ媒体をアドレッシングするための方法は、アドレッシング規模で第１の方向にあるアドレッシングベクトル場の影響下にある第１のアスペクトを示すように構成されたアドレス可能ディスプレイ媒体を設けるステップと、アドレッサを設けるステップと、アドレッサは、ディスプレイ媒体の実質的に幅ｗの領域に、アドレッシング規模で第１の方向にあるアドレッシングベクトル場を提供するように構成され、第１の規模で第１の方向にある第１のベクトル場を示すように構成された第１のシート電極および第２のシート電極を設けるステップと、第１のシート電極は、Ｒオーム毎平方に等しい抵抗を有し、第１の規模は、アドレッシング規模より小さく、ディスプレイ媒体は、第１のシート電極と第２のシート電極との間に配置され、第１のシート電極、第２のシート電極、およびディスプレイ媒体は、単位面積当たりＣに等しいキャパシタンスを有し、第１のシート電極は、アドレッサとディスプレイ媒体の間に位置し、実質的に幅ｗの領域に、実質的に１／（ｗＲＣ）の移動速度で、アドレッシングベクトル場を供給するステップと、を含むことを特徴とする。
【００３７】
また、本発明のディスプレイ媒体をアドレッシングするための方法は、更に、接地シートを設けるステップを含み、接地シートは、ディスプレイ媒体の実質的に幅ｗの領域に、アドレッシング規模で第１の方向にあるアドレッシングベクトル場を提供するアドレッサにより構成され、第２のシート電極が接地シートとディスプレイ媒体の間に位置する、ことを特徴とする。
【００３８】
本発明の回転要素シート材をアドレッシングするための方法は、回転要素シート材を用いるステップと、回転要素シート材の実質的に幅ｗの領域に、アドレッシング規模で第１の方向にあるアドレッシングベクトル場を提供するように構成されたスタイラスを用いるステップと、間に第１のベクトル場を示すように構成された第１のシート電極および第２のシート電極を用いるステップと、回転要素シート材は、基板内に配置され、かつ作動化流体に接触する複数の回転要素を備え、基板は、第１のシート電極と第２のシート電極の間に位置し、第１のシート電極は、スタイラスと基板の間に位置し、作動化流体に接触する複数の回転要素の少なくとも１つは、さらに、アドレッシングベクトル場に応答するよう構成されたアドレッシング双極子を示すように構成され、該アドレッシング双極子は、回転要素が、アドレッシング規模で第１の方向のアドレッシングベクトル場の影響下において、第１の応答を示すように構成され、回転要素、作動化流体および基板は、回転要素を静的な向きおよび位置から回転および移動させるのに必要なエネルギーに等しい仕事関数を示すように構成され、第１のベクトル場とアドレッシング双極子の間のエネルギー結合力は、仕事関数より小さく、０より大きく、第１のシート電極は、Ｒオーム毎平方に等しい抵抗を有し、第１のシート電極、第２のシート電極、および回転要素は、単位面積当たりＣに等しいキャパシタンスを有し、アドレッシングベクトル場が、回転要素に結合するように、実質的に１／（ｗＲＣ）に等しい速度でスタイラスを移動させるステップと、を含むことを特徴とする。
【００３９】
また、回転要素シート材をアドレッシングするための方法は、更に、接地シートを設けるステップを含み、接地シートは、スタイラスと共に、回転要素シート材の実質的に幅ｗの領域に、アドレッシング規模で第１の方向にあるアドレッシングベクトル場を提供するよう構成され、第２のシート電極は接地シートと基板の間に位置することを特徴とする。
【００４０】
【発明の実施の形態】
次に、添付の図面に例示されている本発明に適合する実施態様について詳細に述べる。可能な限り、同一または類似化所を説明するのに、図面および以下の説明を通じて同一の参照番号を使用する。本明細書に盛り込まれ、本明細書の一部を構成する添付の図面は、本発明の実施態様を例示し、本文とともに、本発明の効果および原理を説明するのに役立てられる。
【００４１】
Ａ．定義
本明細書で用いられる「アスペクト(aspect)」とは、対象となる入射電磁エネルギーに対する共通の応答を意味する。例えば、入射電磁エネルギーが可視スペクトル内にある場合は、第１のアスペクトは黒色の外観に対応し、第２のアスペクトは白色の外観に対応することになる。対象となる入射電磁エネルギーがＸ線領域内にある場合は、第１のアスペクトはＸ線エネルギーの透過に対応し、第２のアスペクトはＸ線エネルギーの吸収に対応することになる。さらに、「共通の応答」は、吸収、反射、分極、透過、蛍光、またはその組み合わせのいずれかを含みうる。
【００４２】
本明細書で用いられる「観察者(observer)」とは、知覚者、または対象となる電磁エネルギーに敏感な装置と知覚者との組み合わせを意味する。対象となる電磁エネルギーが可視スペクトル内にある場合は、観察者とは知覚者を意味することになる。対象となる電磁エネルギーが可視スペクトル外にある場合は、観察者とは、電磁エネルギーに敏感で、かつ対象となるアスペクトを人間が知覚可能な形へと分解することが可能な装置を意味する。
【００４３】
本明細書で用いられる「径(diameter)」とは、任意のマイクロカプセル構造またはアスペクトエレメントの高さ、幅および深さのいずれかに対応する規模寸法（マグニチュードディメンジョン：magnitude dimension）を意味する。「径」が用いられていても、円形、球形または円筒形の幾何学構造のみが対象とされているわけではない。
【００４４】
本明細書で用いられる「ベクトル場(vector  field)」とは、空間内の振幅が大きさおよび方向を有することが可能な場を意味する。本発明において対象となるベクトル場としては、電場、磁場または電磁場が挙げられる。
【００４５】
本明細書で用いられる「仕事関数(work  function)」とは、変位を可能にするために、アスペクトエレメントとマイクロカプセル構造の間の引力に打ち勝つのに必要なエネルギーの量を意味する。上述したように、第２のアスペクトエレメントに接触する第１のアスペクト媒体の表面張力、第２のアスペクトエレメントに対する第１のアスペクト媒体の比重、第２のアスペクトエレメント上の電荷の大きさ、第１のアスペクト媒体およびマイクロカプセル構造の相対誘電率、マイクロカプセル構造の「粘着性」、ならびに存在しうる他の残留場など（ただし、それらに限定されない）を含む多くの要因が、仕事関数に関連するエネルギーの大きさに影響を及ぼす。
【００４６】
本明細書で用いられる「プリズム状(prism-shaped)」という言葉は、その末端が実質的に同じ寸法および形状を有しているとともに、残りのサイドがそれぞれ実質的に平行四辺形である多面体を意味する。
【００４７】
本明細書で用いられる「ディスプレイ媒体(display  medium)」という言葉は、外部ベクトル場の影響下にある少なくとも２つの異なるアスペクトを示し、該アスペクトは外部ベクトル場の規模および方向の関数となる任意の物質を意味する。
【００４８】
本明細書で用いられる「アドレッサ(addressor）」および「接地シート(grounding  sheet)」という言葉は、接地シートに隣接する領域の一部分に規模および方向を有するベクトル場を設けるように構成された任意の装置を意味する。
【００４９】
Ｂ．本発明に適合する回転要素シート材
本発明に適合するディスプレイ媒体を図１４から図１７に示す。特に、回転要素シート材４００が示されている。本明細書に記載されるフリンジフィールドフィルタリング効果は、回転要素シート材４００に限定されないことを当業者なら理解するはずである。実際、本明細書に記載されるフリンジフィールドフィルタリング効果は、スタイラスまたはスタイラスアレイによってアドレッシングされる任意の電子感光シートまたは電気光学シートに利用することができる。したがって、ディスプレイ装置に関するＩＥＥＥ会議、７２ＣＨ  ０７０７−０−ＥＤ  １９７２、４６頁（Ｏｔａ他）」においてＩ．Ｏｔａ他が記載している着色された液体に分散された電気泳動粒子、または「電気泳動インク：印刷可能なディスプレイ材料」、ＳＩＤ ９７ダイジェスト、７５〜７６（１９９７年）においてＣｏｍｉｓｋｅｙ他が記載している着色された液体に分散されたマイクロカプセル化電気泳動粒子を含むシート材も、回転要素と同様の効果をもたらす。同じように、これらの効果は液晶シート材に対しても発揮される。
【００５０】
図１４は、複数の回転要素１０が基板（図示せず）内に分散され、使用可能液体（図示せず）に接触する回転要素シート材４００を示す図である。さらに、回転要素シート材４００は、スタイラス２００の遠端のものとは異なるベクトル場電位規模で保持された接地シート２６５を含む。これは、図１４および図１５において、グランドに接続された接地シート２６５、ならびに接地される電圧源２４０に接続されたスタイラス２００を示すことによって例示されている。
【００５１】
さらに、先述したように、矢印２５０の方向に移動し、回転要素シート材４００に接近するスタイラス２００は、関連する先行フリンジフィールド２７５および後続フリンジフィールド２８５を有することになる。
【００５２】
好ましい実施形態において、本発明に適合するフィルタは、第１のシート電極４２０と第２のシート電極４３０を備える。第１のシート電極４２０および第２のシート電極４３０は、それらの間に第１のベクトル場を示すように構成される。これは、図１４および図１５において、２つのシートの間の電圧源を示すことによって例示されている。第１のシート電極４２０と第２のシート電極４３０の間の場の規模は、第１の規模において、第１のベクトル場と回転要素のアドレッシング双極子との間のエネルギー結合力が、回転要素の位置および向きを変化させることに関連する仕事関数より小さくなるようにする。よって、第１のシート電極４２０および第２のシート電極４３０の存在しても、第１のシート電極および第２のシート電極が存在しない状態で観察される静的なアスペクトが変化することはない。ここでも、電気泳動効果に基づくアドレス可能ディスプレイ媒体のような任意のアドレス可能ディスプレイ媒体にこれを適用できることを当業者なら理解するはずである。
【００５３】
回転要素１０がスタイラス２００と接地シート２６５の間に位置する場合にスタイラス２００と回転要素１０の間に配置される完全導体は、スタイラス２００と接地シート２６５の間に生成されるベクトル場の影響から回転要素１０を遮蔽することを当業者なら理解するはずである。よって、第１のシート電極４２０が完全導体であれば、静止しているスタイラス２００は、図１４に示される回転要素シート材の如きディスプレイ媒体に対して何ら影響も及ぼさない。
【００５４】
しかし、第１のシート電極が完全導体でなければ、スタイラス２００と接地シート２６５の間に生成されるベクトル場がディスプレイ媒体に影響を及ぼす可能性があることを当業者なら理解するはずである。具体的には、第１のシート電極がＲオーム毎平方に等しい抵抗と、Ｃファラドに等しい単位面積当たりのキャパシタンスを有し、スタイラス２００が幅ｗを有し（図１６）、実質的にｖ＝１／（ＲＣｗ）に等しい速度で移動する場合は、第１のシート電極内の自由電荷には、スタイラス２００と接地シート２６５の間のベクトル場によって生じる場から完全に回転要素１０を遮蔽するように整列するための十分な時間がない。よって、スタイラス２００と接地シート２６５の間のベクトル場のある部分が第１のシート電極４２０を通り、回転要素１０の向きおよび位置に影響を与えることになる。ディスプレイ媒体を通る該部分はスタイラス２００の真下のベクトル場のある部分であるとともに、先端２７５であることを当業者なら理解するはずである。
【００５５】
さらに、スタイラス２００と接地シート２６５の間のベクトル場の拡散性により、場のなかの遮蔽される部分があることを当業者なら理解するはずである。具体的には、後続フリンジフィールド２８５は、第１のシート電極４２０によって遮蔽されることになる。よって、スタイラス２００の経路における複数の回転要素は、スタイラス２００が通過するにつれて導入されるベクトル場内の鋭いカットオフを受けることになる。複数の回転要素が、スタイラス２００のフリンジフィールドに従って連続的に向きを変えるのを防ぐのはこの鋭いカットオフである。その結果、このようにしてアドレッシングされた回転要素は観察者６０の方向に飽和アスペクトを生成する。飽和アスペクト４９０の巨視的な視点を図１７に示す。
【００５６】
第１のシート電極４２０と第２のシート電極４３０の間の第１のベクトル場の規模の選択を理解することにより、回転要素シート材４００によって生じる結果を当業者なら理解できるであろう。先述したように、第１のベクトル場と回転要素のアドレッシング双極子との間のエネルギー結合力が、回転要素の位置および向きを変化させることに関連する仕事関数より小さくなるように第１のベクトル場の規模を選択する。しかし、スタイラス２００が、回転要素１０位置および向きを静的な位置および向きから変化させるのに十分なエネルギーを導入した後は、第１のベクトル場と回転要素のアドレッシング双極子との間のエネルギー結合力は、回転要素１０が再び落ち着くまで、回転要素１０の向きに影響を及ぼすのに十分なものとなる。よって、回転要素シート材４００は、スタイラス２００によってアドレスされるときに飽和アスペクトを生成することになる。
【００５７】
第２のシート電極４３０は、優れた導体であることが好ましい。よって、第２のシート電極４３０が、上記第２のシート電極２６５を起源とするあらゆる磁場から接地シート２６５を遮蔽することになるため、接地シート２６５は必要でないことを当業者なら理解するはずである。さらに、第２のシート電極４３０は、接地シート２６５がそれに隣接する場合は非導体であってもよい。よって、接地シート２６５が存在する場合が最も一般的な場合である。さらに、接地シート２６５が存在せず、第２のシート電極４３０が第１のシート電極４２０の抵抗とほぼ等しい抵抗を有する場合でも、フィルタが機能することを当業者なら理解するはずである。
【００５８】
スタイラス２００が１０ｃｍ／秒の速度で約１ｍｍの幅を有し、ディスプレイ媒体のキャパシタンスが約５ピコファラド／（ｃｍ2）（回転要素シート材の典型的なキャパシタンス）である場合に、第１のシート電極４２０の抵抗が１０13オーム／平方になることを当業者なら理解するはずである。よって、第１のシート電極４２０は、ガラスまたはプラスチック上にスパッタされたインジウムスズ酸化物を含むことが好ましい。さらに、ガラスおよびプラスチック上の導電層の高抵抗被膜に対しては他のいくつかの選択肢がある。当該被膜は、積層体のあらゆる膜厚において導電性被膜を提供するという理由から、プラチナ、金またはそれらの合金を含むことが好ましい。それに対して、アルミニウムのような他の多くの材料は、特定の膜厚に達した後や、さらなる材料を積層することによって導電性が極めて急速に高くなった後にはじめて導電層を提供するため、均一な導電性を得ることが困難である。特に、ガラスまたはプラスチック上のプラチナ、金、またはプラチナ合金および金合金は非常に薄い層であっても導電性を有し、その導電性は、積層体の膜厚が増加するにつれて均一に高められる。さらに、当該材料は、好ましい厚さである１００オングストロームの厚さでも透明性を有する。しかし、所定のシート電極の導電性はコーティング条件に大いに左右されるため、本発明に適合する膜厚には幅がありうることを当業者なら理解するはずである。
【００５９】
先述したように、本明細書に記載されるフリンジフィールドフィルタリング効果は回転要素シート材に限定されないことを当業者なら理解するはずである。実際、スタイラスまたはスタイラスアレイによってアドレッシングされる電子感光または電気光学シート材は、図１７に示される飽和アスペクトに遭遇することになる。
【００６０】
結論
飽和アスペクトを生成するために、本発明に適合する方法および装置を使用してディスプレイ媒体をアドレッシングすることができる。回転要素シート材を用いた本発明の実施態様についての上述の記載は、例示および説明のために成されたものである。それは網羅的なものではなく、開示された厳密な形式に本発明を限定するものでもない。上記の教示に鑑みて修正や変更が可能であり、あるいは本発明を実施することにより修正や変更がもたらされる場合もある。例えば、いくつかの例では、対象とする電磁エネルギーとして可視光に関連するスペクトルが使用されていた。しかし、赤外線、紫外線およびＸ線を含めた任意の電磁エネルギーを対象とする電磁エネルギーとして使用しても本発明から逸脱することはない。さらに、図１４から図１７は、全体的に球状の回転要素を示している。しかし、任意の数の形体の回転要素を作製することができる。より広い意味では、本明細書に記載のフリンジフィールドフィルタリング効果は、スタイラスまたはスタイラスアレイによってアドレッシングされる任意の電子感光または電気光学シート材に利用できる。したがって、ディスプレイ装置に関するＩＥＥＥ会議、７２ＣＨ  ０７０７−０−ＥＤ  １９７２年、４６頁（Ｉ．Ｏｔａ他）においてＯｔａ他が記載している着色された液体に分散された電気泳動粒子、または電気泳動インク：印刷可能なディスプレイ材料」、ＳＩＤ ９７ダイジェスト、７５〜７６（１９９７年）においてＣｏｍｉｓｋｅｙ他が記載している着色された液体に分散されたマイクロカプセル化電気泳動粒子を含むシート材も、回転要素と同様の効果をもたらす。同じように、これらの効果は液晶シート材に対しても発揮される。よって、本発明は上述の実施形態に限定されるものではなく、それらの同等形態の全範囲を考慮に含めた添付の請求項に規定される。
【図面の簡単な説明】
【図１】  先行技術の回転要素シート材を示す図である。
【図２】  先行技術の回転要素の断面を示す図である。
【図３】  誘電性液体に接触し、アドレッシング極性の影響を受ける場合のアドレッシング極性を有する先行技術の回転要素を示す図である。
【図４】  大きさ零のアドレッシングベクトルの存在する状態での先行技術の回転要素の集合体を示す図である。
【図５】  大きさが零でないアドレッシングベクトルの存在する状態での先行技術の回転要素の集合体を示す図である。
【図６】  図５の回転要素の集合体の代替的な概観を示す図である。
【図７】  先行技術の回転要素シート材をアドレッシングするためのスタイラスを示す図である。
【図８】  図７の後続フリンジフィールドの効果を示す図である。
【図９】  上部の視点から見た図８のキットの概観を示す図である。
【図１０】  図８および図９の後続フリンジフィールドの効果の巨視的な概観を示す図である。
【図１１】  向きが変化する回転要素の数と加ベクトル場の関係を示すグラフである。
【図１２】  多価アスペクトおよびラッチング構成要素を有する先行技術の回転要素を示す図である。
【図１３】  図１２の回転要素を含み、かつシートラッチング構成要素を含む回転要素シート材を示す図である。
【図１４】アドレッシングのためのスタイラスが存在する状態での本発明の回転要素シート材を示す図である。
【図１５】  本発明の回転要素シート材が生成する飽和アスペクトを示す図である。
【図１６】  上部の視点から見た図１５のキットの概観を示す図である。
【図１７】  本発明の回転要素シート材が生成する飽和アスペクトの巨視的な概観を示す図である。
【符号の説明】
１０，２００  回転要素、２０  作動化流体、３０  キャビティ、４０  基板、５０  回転要素シート材、５５，２６０  インフラ層、６０  観察者、７０  第１の層、７５  第１の塗膜、８０  第２の層、８５  第２の塗膜、１００  ベクトル場、１１０  無場集合体、１２０  第１のアスペクト集合体、１３０，２３０  第１の塗膜、１３５，２３５  第２の塗膜、１３７  アスペクト透明の覆い、１４０  コア、１４２  第１のアスペクト面、１４４  第２のアスペクト面、１７０  回転式ラッチング構成部、１７２  シートラッチング構成部、２００  スタイラス、２４０  電圧源、２５０  矢印、２６５  接地シート、２７５  先行フリンジフィールド、２８５  後続フリンジフィールド、４００  回転要素シート材、４２０  第１のシート電極、４３０  第２のシート電極。
【図１】
0004398623.tif 000003
【図２】
0004398623.tif 000004
【図３】
0004398623.tif 000005
【図４】
0004398623.tif 000006
【図５】
0004398623.tif 000007
【図６】
0004398623.tif 000008
【図７】
0004398623.tif 000009
【図８】
0004398623.tif 000010
【図９】
0004398623.tif 000011
【図１０】
0004398623.tif 000012
【図１１】
0004398623.tif 000013
【図１２】
0004398623.tif 000014
【図１３】
0004398623.tif 000015
【図１４】
0004398623.tif 000016
【図１５】
0004398623.tif 000017
【図１６】
0004398623.tif 000018
【図１７】
0004398623.tif 000019